(57)【要約】【課題】木造建築の軸組み構造の耐震耐風の必要発生災害時に耐抗力の強化を目的とした主構造軸組み補強交差部分を木造製筋違を取付ける事により接合部の強度を強化する壁筋違を開発し木造建物の構造軸組みを堅固なものとし、利用者に安心感の増幅を与えるものとして提供。【解決手段】  柱の取付く上部や下部の横架材の結合部分に本考案の筋違を介して柱と横架材と筋違を三種一体に連繋結合し地震や台風の災害発生時に建物の軸組み構造補強部分を堅固なものに組み立てて強力な水平応力に対抗するために数度の揺れの引張応力や突き出し圧縮応力に耐効する木造筋違であり横架材と管柱との結合部分及び通柱と横架材との結合部分を堅固に粘接連繋結合する目的として準木造製使用の壁筋違。【選択図】  図1
2008075440.tif 000002
【特許請求の範囲】
【請求項１】
木造建築の軸組み構造を耐震的に補強する外壁面部分の壁筋違の場合に柱と横架材の取付く交差部分を木筋違(スジカイ)のみにて連繋結合する、其の際に外壁面部に取付く壁筋違は外装版受けの胴縁の厚みの分だけ筋違の外部面を柱外部面よりも外部に出して、出した分だけ両先端を角(ツノ)式に柱と横架材の横外面に延して、其の延した角部分を柱と横架材の横面にスクリュウ式ネジ釘にて取付けて柱と横架材と筋違の三種を一体に連繋結合して地震や台風の場合に揺れる際の水平力の引張応力及び圧縮応力を受ける際に耐抗し、筋違の厚みの外装版受け胴縁の厚みの分を角式に延した残りの部分の柱と横架材に当る部分を欠取り削除して、其の欠取った先端部位の筋違の胴付部分を柱と横架材の接する内角部分に切付けて圧縮応力に対抗力を加える事を特徴とする外壁面に取付ける壁筋違構造工法。
【請求項２】
内壁面部分の壁筋違の場合は壁筋違の外部面を柱面と同一面に収める必要性が有るために、柱と横架材に取付けるために延ばす角部分の厚みの分を柱と横架材の横面部に彫り込み柱外面と横架材外面と筋違外面を同一面に収めて、其の延した角部分を柱と横架材にスクリュウ式ネジ釘にて取付けて柱と横架材と筋違を三種一体に連繋結合して災害時の揺れる際の水平力の引張応力及び圧縮応力を受ける際に耐抗し、角式に延した先端木口部分は圧縮応に耐効し、力角式に延した厚み部分の残りの厚みは欠取り削除し、其の欠取った際の先端部位の胴付を柱と横架材の接する内角部に切付けて圧縮応力に対抗力を加える事を特徴とする内壁面に取付ける壁筋違構造工法。
【請求項３】
前記の請求項１又は２に記載の外壁部と内壁部に取付ける壁筋違を襷掛けに取付ける場合は相対する結合部分を表裏同一面に納めるために、交わる部分を亘り合欠ぎ結合として数本の平頭クロス式ボルトにて締付けて相方の筋違の交差部分の強度力を維持確保する事を特徴とする壁筋違構造工法。
【請求項４】
前記の請求項1又は2に記載の壁筋違の上部及び下部の先端部分の角式に延した部位を柱及び横架材に取付ける際の止め金物は、柱及び横架材及び筋違を三種一体に堅固に連繋結合するために、大釘打ちで無くスクリュウ式ネジ釘数本を使用して締付ける事を特徴とする壁筋違構造工法。
【請求項５】
前記の請求項3に記載の筋違を襷掛けに取付ける際に交差する亘り合欠ぎ部分を締め付けるボルトの頭部位は平型クロス式ドライバー締めとし、ボルト杆は座金とナットとの間にスプリング式の丸型平板金を挟み敷いて地震等の際に数度の揺れにも対抗して締付力の低下を防止する事を特徴とする壁筋違構造工法。
【発明の詳細な説明】
【技術分野】
【０００１】
本発明は木造建築の場合に於いて軸組み構造が地震や台風等の際に予期せぬ水平力を受けて数度の大きな揺れに耐効する目的にて外壁面部や内壁面部に木造製のみの壁筋違を取付けて、其の筋違両先端の取付け力の効果により横架材と管柱又は通柱と横架材との結合接点交差部分に筋違を交えた三種を一体に強力に連繋結合して揺れる際の引張応力や突き出し圧縮応力に対する耐抗力を高めて予期せぬ災害時に対抗する外部壁面及び内部壁面の壁筋違構造工法に関するものである。
【背景技術】
【０００２】
従来木造建築の軸組み強化壁筋違取付け補強金物は種々発案されているが柱と横架材と筋違は三種に分離された物を切り付けて横面にて平板金物にて補強的に接続結合する例が多く、又は柱と横架材を金物やボルトにて結合し其の金物に筋違の先端を取付ける例や、壁筋違の両先端を柱と横架材に金物やボルト等にて取付けた例も多数見受けるが取付ける筋違の両先端部分を介して柱と横架材と筋違の三種を一体に、木質と木質の弾力的な特徴性を生かして堅固に連繋結合する例は現時点では見受けられない。
【特許文献１】特許公開Ｈ０９−３０２８１４
【特許文献２】特許公開H１０−１５２８９０
【特許文献３】特許公開H１０−２９９０８５
【特許文献４】特許公開２００１−２７９８１５
【発明の開示】
【発明が解決しようとする課題】
【０００３】
前記0002に記載の文献の壁筋違は4例共木材筋違のみにて軸組構造を補強する例は無く、本発明は木材筋違のみにて外部壁面取付け壁筋違の場合は、上部及び下部の両先端部分を柱外面より外装版受け胴縁の厚みの分だけ角式に延し、延した厚みの残り内面を欠取り、欠取った際の木口胴付面を柱と横架材の交差部分の内角部位に切り付けて、災害時の水平力を受けた際の突き出し圧縮応力に対抗し、延した角部分は柱と横架材の横面に各数本のスクリュウ式平頭クロスネジ釘にて取付けて、水平力を受けた際の引張応力と突き出し圧縮応力に対抗する壁筋違を提供するものである。
【０００４】
内部壁面に取付ける壁筋違の場合は筋違の外部面を柱面に収める必要性が有るために上部と下部の延す角部分を柱の外部面揃えに柱と横架材に彫り込んでスクリュウ式ネジ釘数本にて取付け、柱と横架材と筋違を三種一体に連繋結合し、水平力を受けた場合の引張応力及び圧縮応力に対抗し、其の彫り込んだ角先端部位の木口胴付面を突き出し力に対する耐効力とする、角式に延した残りの内部面の厚みは欠取り、其の際の木口胴付面を柱と横架材の接する内角部に切付けて圧縮応力に耐効することを目的とする壁筋違を提供するものである。
【課題を解決するための手段】
【０００５】
外壁部並びに内壁部に取付ける壁筋違の両先端を角式に延して柱と横架材に数本のスクリュウ式ネジ釘にて金物を介せずに直接に取り付けるため取付け力に弾力性や密着性も在り地震時や台風時に耐効性を発揮する事が出来る、角式に延した部分の内面の柱及び横架材に当る部分は欠取り削除して、削除した際の切付け木口胴付面を柱と横架材の交差部分の内角部に密着させて圧縮力に対抗する、取付け場所によりダブルの襷掛けの必要性が生じた場合は相方とも同規格を用いて交差する部分を亘り合欠ぎ取付けとして数本の平頭クロスボルトにて締付けて取付けた部分の強度力が低減しない目的とする。
【０００６】
外部壁面に取付ける筋違は外装版を張付けるために柱外面に受胴縁下地を打つために其の胴縁の厚みの分だけ外部面揃えに筋違の外部面を柱の外部面より出す事が可能で在るので其の受け胴縁の厚みの分だけ柱外面よりも外部に筋違を出して、其の出した分の上部と下部の両先端を柱と横架材の外面に角式に厚み3cmを延して、其の延した角部分を柱及び横架材にスクリュウ式クロスネジ釘にて取付けて柱と横架材と筋違の三種を一体に連繋結合をして災害時に大きな水平力を受けて数回揺れる際に引張応力と圧縮応力に対抗して、外部に延した角部分の厚みの部分の残り内部の厚みの分が柱と横架材に当る部分の厚み４cmを欠取り削除して、其の削除した分の切付けた木口胴付面を柱と横架材の結合する内角部に密着させて圧縮力を受けた際の突き出し応力に対抗する外部壁面筋違構造工法である。
【０００７】
内部壁面に取付ける筋違は柱面と外面を同一に収める必要性が在るために角式に延して柱と横架材に取付ける部分の厚み３cmを柱と横架材に彫り込みスクリュウ式ネジ釘にて取り付け、災害時に水平力を受けた場合の引張応力と圧縮応力に対抗するが、其の彫り込んだ角先端の木口胴付面部分が柱と横架材に接する部分と、其れに加えて其の角部分の内面部分の残り厚み４cm部分が柱と横架材に当るために切取り削除して、其の削除した部分の切付け木口胴付面を柱と横架材の交差する内角部に密着させて突き出し圧縮応力に対抗する内部壁面筋違構造工法である。
【発明の効果】
【０００８】
筋違の両先端の角式に延した部分を柱と横架材に数本のスクリュウ式ネジ釘にて取付けて柱と横架材と筋違の三種を一体に結合するために予期せぬ水平応力を受けた場合の突き出し圧縮応力の際に柱と横架材が力を受けて柱の胴付が離れ浮く事も無く耐震性や耐風性に耐応する木造壁筋違で外部壁面に取付けの壁筋違は水平応力に対する引張力と突き出し圧縮応力には角部分のスクリュウ式平頭クロスネジ釘の締付け力にて耐効し、其れに加えて突き出し応力には角式に延す部分のネジ釘の締付け力と角の裏面を欠取る部分の木口胴付面にて耐効するが、内部壁面に取付けの壁筋違は角式に延す部分を柱と横架材に彫り込んで取り付けるために先端部位の接する木口胴付面が広くなり筋違の両先端の木口全面が突き出し圧縮応力に対する耐効力となる。
【発明を実施するための最良の形態】
【０００９】
本発明の木製壁筋違の外壁部壁面使用例と内壁部壁面使用例と筋違を襷掛けに取付ける場合の主旨や実施例を各図面を参照しながら説明する、説明内容の規格並びに本数等は参考的に明記するも実状は若干の差は有するものとする。
【実施例】
【００１０】
図1は外部壁面に上部及び下部の横架材に管柱が取付く場所に壁筋違を取付けた外部正面から見た状況図で符号１は幅10cmの筋違、符号２は管柱12cm角の例、符号３は上部横架材及び符号4は下部横架材で厚12cm高さ20cmの例、木造建築の場合は筋違が取り付く場所が両面柱と上下の横架材との状況が同じ例が殆どで有るために以後の説明図は上部の横架材に管柱が取付く箇所を参考例記として説明する。
【００１１】
図２は請求項1に記載の外部壁面に筋違を取付ける場合の上部と下部の両先端を取付ける際の状況断面詳細説明図で外面より厚み3cmを角(ツノ)式に延した部分を柱と横架材の外面よりも外部に出してスクリュウ式平頭クロスネジ釘にて取付ける図で、符号１ｂは筋違の側断面部分、符号１cは柱及び横架材の外面と角式に延した部分の内面が接する部分、符号2ｂは柱の側面部分、符号3ｂは横架材の木口断面部分、符号２cは管柱を横架材にホソにて取付ける際の胴付面、符号5は柱と横架材の外部面、符号6は筋違の外部面、符号7は筋違の内部面、符号8は柱面よりも筋違を厚み3cm外部に出す角部分、符号9は同じく横架材面よりも外部に3cm出す角部分、符号10は符号8を角式に出して柱面に接する部分、符号11は同じく横架材に接する部分、符号12は角式に出して延した部分を柱面に数本にて取付けるスクリュウ式平頭＋ネジ釘部分、符号13は横架材に取付けるネジ釘部分、符号14は外装版を受ける厚み3cm幅4.5cmの胴縁断面の例。
【００１２】
図３は請求項1に記載の外部壁面に壁筋違を取付ける際に上部下部とも両先端の同じ状況の断面図で、符号15は筋違の厚み7cmの内、符号8の厚み3cmを角式に延して柱外面に取付ける部分の残りの厚み4cmを柱に当るので欠取り削除する部分、符号16は同じく横架材に当るので欠取り削除する部分、残りの符号は上記0011図２の説明内容と同じ。
【００１３】
図４は外部壁面に壁筋違を取付ける際に上部下部とも両先端の角部分を柱と横架材に厚み３cmを角式に延した部分をスクリュウ式平頭＋ネジ釘数本ずつ(合計10本)にて取付ける正面図で、符号8は柱面に符号9は横架材面に締付ける状況図で、符合12は柱面に符合13は横架材面に取付けるネジ釘、符合17は角式に延した厚み3cmの残り4cm厚みの裏面が柱に当る部分を切取り削除した部分の木口胴付面が柱の交差内角部に接する部分、符号18は同じく横架材に当る部分を切除して横架材の交差内角部の内側面に木口胴付面が接する部分。
【００１４】
図５は外部壁面に筋違を取付ける際に角(ツノ)式に３cm厚みを柱面よりも外部に出して延した部分が符号19縦線部分は柱に、符号20横線部分は横架材に接する部分で筋違の上部及び下部の両先端とも同じ場合の状況図。
【００１５】
図６は外部壁面取付けの壁筋違の先端部分を裏面から見た斜視図で符号21は内部面幅10cmの例、符号22は厚み7cmの側面、符号23は先端の角部分を表面より厚み３cmを残して残りの４cm厚みの柱に当る部分を欠取り柱にネジ釘にて締付ける際に柱内角部符号17に接する木口胴付部分、符号24は同じく横架材に当る部分を削除した部分の木口胴付が横架材内角部符号18に接する部分、符号25は上記図5の説明の符号19の柱面に接する部分、符号26は同じく図5の符号20の横架材面に接する部分、符号27・28・29は筋違の切付け先端木口露出部分、符号30は角部分厚み３cmを柱に符号31は横架材に取付ける際のネジ釘孔の部位。
【００１６】
図7は内壁部壁筋違の取付ける際の正面図で附号32は筋違幅10cm厚み7cmの筋違の例、附号33は管柱12cm角の例、附号34・34bは管柱先端をホソにて取付ける厚幅12cm高幅20cmの上部と下部の横架材の例。
【００１７】
図８は内壁部壁筋違の上部と下部の同じ状況の取付け詳細説明断面図で、符号32bは厚み７cmの壁筋違、符号33bは横架材にホソにて取付ける管柱で12cm角の側面、符号34cは厚幅12cmの横架材の木口断面、符号35は柱と横架材と筋違三種の外面揃いの線、符号36は筋違厚み7cmの内面、符号37は筋違の先端の厚み３cmを角(ツノ)式に延して柱に取付ける内面で柱に彫り込んで柱に接する部分、符号38は同じく横架材に彫り込んだ部分に接する部分、符号39は管柱の先端を横架材にホソにて取付ける際の胴付、符号40は角部分厚3cmの残り部分厚4cmが柱に当る部分を欠取る削除部分、符号41は同じく横架材に当る部分を欠取る削除部分、符号42は角部分を柱に取り付けるスクリュウ式平頭＋ネジ釘、符号43は同じく横架材に取付けるネジ釘。
【００１８】
図9は内壁部筋違の両先端部分を角式に延す際に縦線部分符号44は厚み３cmの深さにて柱に彫り込む部分、同じく横線部分、符号45は横架材に彫り込む部分、符号46は筋違先端の外面より厚み3cmを角式に延した部分の残り厚み4cmの柱に当る部分を欠取り削除した際に柱の内角面に接する木口胴付部分、符号47は同じく横架材に当る部分を欠取り削除した部分の胴付が横架材の内角部に接する木口胴付部分、符号48・49は角式に延した部分厚み3cmを彫り込んだ柱に接する先端木口部分、符号50・51・52は同じく横架材に彫り込んで接する先端木口部分。
【００１９】
図10は内部壁面に壁筋違を取付ける際の上部下部の両先端部分の状況の正面図で符号53は柱に符号54は横架材に合計10本のスクリュウ式平頭＋ネジ釘径8mm長8cmにて取付けた正面状況図。
【００２０】
図11は内部壁筋違が管柱の先端に取付く際の斜視図で33bは内部壁面柱の側面部分、符号33cは管柱先端が横架材に取付く際のホソ、符号46は筋違の外部面より厚み3cmを角式に延した部分を柱に取付ける部分の残り厚み4cmを切取り削除した際に柱側面の符号33bの内角部に先端部分の木口胴付が接する部分、符号48・49は柱に厚み3cmを彫り込んで角式に延した部分の先端の切付け木口部分が接する部分、符号37bは筋違先端を厚み3cm角式に延した部分を柱の彫り込んだ部分に取付ける際に角の内面が接する部分、符号42cは角部分を取付ける際のネジ釘の孔の部位状況図。
【００２１】
図12は内部壁筋違が取付く際の横架材の内角側面から見た処を横を向けた形にして説明のために横巾を長めにした斜視図で符号34bは横架材厚巾12cmの場合の内角面、符号47は角式の厚み3cmを横架材に取付ける部分の残りの厚み4cmの部分を欠取り削除した部分の先端部の切付け木口胴付部分が横架材の内角面に接する部分、符号38bは角式に延した部分の内面が横架材に接する部分、符号43cは角式に延した部分を横架材に取付ける際のネジ釘孔の部位状況図、符号50と51と52は角式に延した部分が横架材に取付く際の先端の切付け木口が接する部分。
【００２２】
図13は内部壁筋違が取付く際の筋違の先端を裏面から見た斜視図で符号32bは筋違の裏内面で幅10cmの例、符号32cは筋違の側面で厚み7cmの例、符合37は角内面が柱に彫り込んだ部分に接する部位、38は角内面が横架材に彫り込んだ部分に接する部位、符合42bは彫り込んだ柱面に取付けるネジ釘孔、43bは同じく横架材に取付けるネジ釘孔。
【００２３】
図14は内部壁面及び外部壁面の筋違を襷掛けに取付ける場合の正面図で符合55及び56は巾10cm厚み7cmの同規格の例で、符号57は双方の筋違が交差する部分で重なる部分を双方亘り合欠ぐ部分、符号58は径8mmの平頭＋ボルト。
【００２４】
図15は筋違を襷掛けにて取付ける場合に亘り合欠ぐ際の断面図で符号55bは外面を通して交差部分の内面を亘り欠く方の筋違の側断面図で、符号59斜線部分は欠取る部分、符号64は欠取る部分の残りが双方接する部分、符号60は亘り合欠ぐ部分を締付ける径8mmの平頭＋ボルト、符号61は裏面の菱型で4本分を1枚にした平板座金、符合62はナット、61bは座金とナットの間に挟み敷く丸型のスプリング式板金。
【００２５】
図16は上記図15に対する襷掛けの一方の反面56bの断面図で符号63斜線部分は内面を通して交差する部分の外面を亘り欠く方の側断面。
【００２６】
図17は襷掛け筋違の交差部分の符号55筋違の裏面を亘り欠ぐ部分の斜視図で符号55cは裏内面、符号64は次記図18に記載の符号64と接する部分、符号65は交差部分を締付けるボルト孔。
【００２７】
図18は上記図17の符号55の筋違と交差する符号56の筋違の外表面を欠ぐ部分の斜視図で、符号64は前記符号64と接する部分、符号65は交差部分を締付けるボルト孔。
【図面の簡単な説明】
【００２８】
【図１】外部壁面に取付ける場合の壁筋違を正面から見た状況図
【図２】外部壁面に取付ける場合の壁筋違の上部及び下部の先端部分を側面から見た断面図。
【図３】上記図２と同じ箇所の断面図で符号15と同16は柱と横架材にあたる部分を切取り削除する部分の説明図。
【図４】上記図１の取付け正面図の両先端部分を拡大した詳細説明図で外部に柱面より３cm出した角部分を符号８は柱面に符号９は横架材に取付ける際のネジ釘の状況図。
【図５】上記図４の角部分の内面が符号19の縦線部分は柱外面に符号20横線部分は横架材外面に接する部分の説明図。
【図６】上記の図４の先端部分を裏面から見た説明斜視図。
【図７】内部壁面に取付ける場合の壁筋違を正面から見た状況図。
【図８】内部壁面に取付ける場合の壁筋違の上部や下部の先端部分を側面から見た断面図。
【図９】内部壁面に筋違を取付ける際に外面より厚み３cmを角式に延して柱面に筋違面を収めるために符号44縦線部分は柱面を符号4横線部分は横架材面を深さ3cm彫り込む部分の説明図。
【図１０】上記の図９の柱面と横架材面の彫り込んだ処に取付ける角部分の状況説明正面図。
【図１１】上記の図９の符号44の柱に角部分厚み３cmを彫り込む部分の説明斜視図。
【図１２】上記の図９の符号45の横架材に角部分厚み３cmを彫り込む部分説明のため横方向を長めにした横架材の内面から見た横向き斜視図。
【図１３】内部筋違の先端部分を正面から見た図10を裏面から見た斜視図。
【図１４】内壁面筋違と外壁面筋違を襷掛けに取付ける場合の交差する部分の正面説明図。
【図１５】上記の図14の筋違が交差する部分の亘り合欠ぐ側断面図で符号55は外部面を通して符号59の内面部を欠取る図。
【図１６】上記の図15に対して符号56bは内部面を通して符号63の外面部を欠取る側断面図。
【図１７】上記の図14の筋違交差部分の符号55筋違の亘り合欠ぐ際の裏内面部を欠取る場合の斜視図。
【図１８】上記と同じく符号56筋違の亘り合欠ぐ際の表外面部を欠取る場合の斜視図。
【符号の説明】
【００２９】
１：外部壁面取付け筋違で幅10cm厚7cmとした例
1b：上記筋違の側断面
1c：上記1の筋違の角部分が柱及び横架材の外部横面に接する部分
２：外部壁面の柱
２b：外部壁面柱の側面
２c：外部壁面柱の先端部分がホソにて横架材に取付く際の胴付  
３：外部壁面の上部横架材
３b：外部壁面の横架材の断面部分
４：外部壁面の下部横架材
５：外部壁面の柱と横架材の外面部分
６：外部壁面の筋違の外部面
７：上記筋違の内部面
８：３cm厚みを柱面よりも角(ツノ)式に外面部に出して柱に取付ける部分
９：上記と同じく角式に出した部分を横架材に取付ける部分
10：上記８の角部分の内面部分が柱の外面と接する部分
11：上記9の角部分の内面部分が横架材の外面と接する部分
12：角式に延した部分を柱に取付ける径８mm長８cmの平頭＋スクリュウ釘
13：角式に延した部分を横架材に取付ける上記と同じスクリュウ釘
14：外装版を取付る際の受け胴縁で厚み３cm巾4.5cmの場合の断面図の例
15：外壁部取付け筋違の先端を厚み３cm角式に延す部分の残り厚み４cmの柱に当る部分を欠取り削除する部分
16：上記15と同じく横架材に当る部分を欠取り削除する部分
17：上記15部分を切取り削除した際に厚み4cmの切取った部分の胴付部分が柱の内角部に接す部分                                                                                    
18：上記16部分を切取り削除した際に同じ厚みの切取った部分の胴付部分が横架材の内角部に接する部分
19：縦線部分は前記図4符号８の部分が柱面に接する部分
20：横線部分は前記図4符号9の部分が横架材面に接する部分
21：外部壁面取り付け筋違の裏内面で巾10cmの例
22：上記筋違の側面で厚み７cmの例
23：前記17の柱の側面内角部分に接する筋違の木口胴付部分
24：前記18の横架材の内角部分に接する筋違の木口胴付部分
25：前記19の柱の外面に接する部分
26：前記20の横架材の外面に接する部分
27：外部壁面筋違を取付けた際の先端の露出木口部分
28：上記と同じ露出木口部分
29：上記と同じ露出木口部分
30：前記12のスクリュウ式平頭＋ネジ釘を柱に取付ける際の孔
31：前記13の上記と同じネジ釘を横架材に取り付ける際の孔
32：内部壁面に取付ける壁筋違の正面図で、
32b：上記32筋違の側面断面
32c：上記32筋違の先端を外面より厚み３cm角式に延して柱と横架材に彫り込んで取り付ける部分
33：内部壁面の柱
33b：上記柱の側面図
33c：内部壁面の柱が横架材に取付く際のホソ
34：内部壁面の上部横架材
34b：内部壁面の下部横架材
34c：横架材の断面部分
34d：管柱胴付と接する横架材の内角面部分
35：内部壁面の柱と横架材と筋違の外面揃いの線
36：内部壁面の筋違の厚み７cmの内面部分
37：内部壁面の筋違の外面より厚み3cmを角式に延して其の分柱に彫り込んだ部分に接する部分
37b：上記37を柱に取付ける部位
38：内部壁面筋違の先端を３cm厚み角式に延す部分を横架材に彫り込んで取付ける際に横架材に接する部分
38b：上記38を横架材に取付ける部位
39：内部壁面の横架材に管柱の先端をホソにて取付ける際の胴付面
40：上記32cの筋違の角式に延した部分を取付ける際に柱に当る部分の厚み４cmを切取り削除する部分
41：上記40と同じく横架材に当る部分の厚み４cmを切取り削除する部分
42：上記32cの角部分を柱に取付ける際の径8mm長8cmのスクリュウ式平頭クロスネジ釘
42b：上記42のネジ釘孔
42c：上記42のネジ釘部位
43：上記42と同じく横架材に取付ける際のネジ釘
43b：上記43のネジ釘孔
43c：上記43のネジ釘部位
44：上記32cを柱に取付ける際に柱に深さ３cm彫り込む縦線部分
45：上記と同じく横架材に深さ３cmを彫り込む横線部分
46：上記44の厚み３cmの残り厚み４cm上記40の部分が柱に当るために切取り削除して33b面に接する木口胴付面                
47：上記46と同じく41の部分が横架材に当るために切取った際に横架材の内角面に接する木口胴付面
48：角部分を柱に取付ける際に柱に厚み3cm彫り込んで取付ける際の先端側面部分
49：上記48と同じ木口胴付部位
50：角部分を横架材に取付ける際に横架材に厚み3cm彫り込んで取付ける際の先端木口胴付部分
51：上記50と同じ木口胴付部位
52：上記50と同じ側面部位
53：内部壁面筋違の先端を角式に厚み3cm延した部分を柱に彫り込んで取付ける際に正面より見たネジ釘の状況説明図
54：上記53と同じく横架材に取付ける際のネジ釘の状況説明図
55：外部壁面筋違と内部壁面筋違を襷掛けに取付ける場合に双方交差する部分の外表面を通して裏内面を亘り欠する筋違
55b：上記の壁筋違が襷掛けの場合に重なる部分を亘り合欠接合する場合の外面を通して内面を欠取る筋違の側断面図
55c：上記55の交差部の裏内面を亘り欠く裏面部
56：上記55に対して裏内面を通して表外面を欠取る筋違                                                          
56b：上記55の筋違に対して内面を通して外面を欠取る筋違の側断面図
56c：上記56の交差部の表外面を亘り欠く表面部
57：上記55の筋違と56の筋違が双方亘り合欠にて交差する部分
58：上記55の部分を締付ける平頭クロスボルトの状況図
59：斜線部分は上記55の筋違の交差部分の亘り合欠ぐ内面を欠取る部分
60：55と56の交差部分を締付けるボルト
61：上記60のボルトを使用する際の内面に取付ける菱型の平板座金
61b：61の座金と62のナットの間に挟み敷くスプリング式板金
62：上記60のボルトを使用する際のナット
63：上記59に対して外面を欠取る部分
64：双方の筋違の亘り合欠ぎ部分が接する部分
65：上記60のボルト孔
【図１】
2008075440.tif 000003
【図２】
2008075440.tif 000004
【図３】
2008075440.tif 000005
【図４】
2008075440.tif 000006
【図５】
2008075440.tif 000007
【図６】
2008075440.tif 000008
【図７】
2008075440.tif 000009
【図８】
2008075440.tif 000010
【図９】
2008075440.tif 000011
【図１０】
2008075440.tif 000012
【図１１】
2008075440.tif 000013
【図１２】
2008075440.tif 000014
【図１３】
2008075440.tif 000015
【図１４】
2008075440.tif 000016
【図１５】
2008075440.tif 000017
【図１６】
2008075440.tif 000018
【図１７】
2008075440.tif 000019
【図１８】
2008075440.tif 000020
【手続補正書】
【提出日】平成19年8月13日(2007.8.13)
【手続補正１】
【補正対象書類名】特許請求の範囲
【補正対象項目名】全文
【補正方法】変更
【補正の内容】
【特許請求の範囲】
【請求項１】
木造建築の軸組み構造を耐震的に補強する外壁面部分の壁筋違の場合に柱と横架材の取付く交差部分を木筋違(スジカイ)のみにて連繋結合する、其の際に外壁面部に取付く壁筋違は外装版受けの胴縁の厚みの分だけ筋違の外部面を柱外部面よりも外部に出して、出した分だけ両先端を角(ツノ)式に柱と横架材の横外面に延して、其の延した角部分を柱と横架材の横面にスクリュウ式ネジ釘にて取付けて柱と横架材と筋違の三種を一体に連繋結合して地震や台風の場合に揺れる際の水平力の引張応力及び圧縮応力を受ける際に対抗し、筋違の厚みの外装版受け胴縁の厚みの分を角式に延した残りの部分の柱と横架材に当る部分を欠取り削除して、其の欠取った先端部位の筋違の胴付部分を柱と横架材の接する内角部分に切付けて圧縮応力に対抗力を加える事を特徴とする外壁面に取付ける壁筋違構造工法。
【請求項２】
内壁面部分の壁筋違の場合は壁筋違の外部面を柱面と同一面に収める必要性が有るために、柱と横架材に取付けるために延ばす角部分の厚みの分を柱と横架材の横面部に彫り込み柱外面と横架材外面と筋違外面を同一面に収めて、其の延した角部分を柱と横架材にスクリュウ式ネジ釘にて取付け柱と横架材と筋違を三種一体に連繋結合して災害時の揺れる際の水平力の引張応力及び圧縮応力を受ける際に対抗し、角式に延した先端木口部分は圧縮応力に対抗し、角式に延した厚み部分の残りの厚みは欠取り削除し、其の欠取った際の先端部位の胴付を柱と横架材の接する内角部に切付けて圧縮応力に対抗力を加える事を特徴とする内壁面に取付ける壁筋違構造工法。
【請求項３】
前記の請求項１又は２に記載の外壁部と内壁部に取付ける壁筋違を襷掛けに取付ける場合は相対する結合部分を表裏同一面に納めるために、交わる部分を亘り合欠ぎ結合として数本の平頭クロス式ボルトにて締付けて相方の筋違の交差部分の強度力を維持確保する事を特徴とする壁筋違構造工法。
【請求項４】
前記の請求項1又は2に記載の壁筋違の上部及び下部の先端部分の角式に延した部位を柱及び横架材に取付ける際の止め金物は、柱及び横架材及び筋違を三種一体に堅固に連繋結合するために、大釘打ちで無くスクリュウ式ネジ釘数本を使用して締付ける事を特徴とする壁筋違構造工法。